(57)【要約】【課題】ブレ補正動作にかかる消費電力をより効果的に低減させる。【解決手段】内部メモリ２５０には、ブレ補正機構１３０を動作させる条件がユーザ毎に記録されている。省電力ブレ補正モードで撮像する場合、ユーザ認証部２１１がユーザの認証をおこない、認証したユーザについての動作条件がパラメータ設定部２１２によって設定されることで、設定された動作条件に応じたブレ補正機構１３０の動作制御がおこなわれる。また、認証したユーザについての動作条件が未登録である場合、ブレ補正機構１３０を動作させずにおこなうテスト撮像に基づいて、当該ユーザについての動作条件を設定する。【選択図】図２
2010117602.tif 000002
【特許請求の範囲】
【請求項１】
ブレ補正機構を有する撮像装置において、
前記撮像装置の使用者毎に設定される、前記ブレ補正機構を動作させる条件を示す条件情報を格納する条件情報格納手段と、
少なくとも前記条件情報格納手段に格納された条件情報に基づいて、前記ブレ補正機構を動作させる動作制御手段と、
を備えることを特徴とする撮像装置。
【請求項２】
前記動作制御手段は、撮像時における前記撮像装置のズームレンズの倍率が、前記条件情報に記録されている倍率以上となる場合に、前記ブレ補正機構を動作させる、
ことを特徴とする請求項１に記載の撮像装置。
【請求項３】
撮像時における前記撮像装置の移動量を検出するセンサ手段をさらに備え、
前記動作制御手段は、前記センサ手段が検出した移動量が、前記条件情報に記録されている移動量以上となる場合に、前記ブレ補正機構を動作させる、
ことを特徴とする請求項１または２に記載の撮像装置。
【請求項４】
撮像されたフレーム画像間の移動量を検出する画像処理手段をさらに備え、
前記動作制御手段は、前記画像処理手段が検出した移動量が、前記条件情報に記録されている移動量以上となる場合に、前記ブレ補正機構を動作させる、
ことを特徴とする請求項１乃至３のいずれか１項に記載の撮像装置。
【請求項５】
前記撮像装置の使用者を認証する認証手段をさらに備え、
前記動作制御手段は、前記認証手段が認証した使用者についての前記条件情報に基づいて、前記ブレ補正機構を動作させる、
ことを特徴とする請求項１乃至４のいずれか１項に記載の撮像装置。
【請求項６】
前記認証手段が認証した使用者についての条件情報が前記条件情報格納手段に格納されていない場合、当該使用者についての前記条件情報に記録される動作条件を設定する条件設定手段をさらに備える、
ことを特徴とする請求項５に記載の撮像装置。
【請求項７】
前記条件設定手段は、前記ブレ補正機構を動作させずに撮像した画像に基づいて、前記条件情報に動作条件を記録する、
ことを特徴とする請求項６に記載の撮像装置。
【請求項８】
前記条件設定手段は、認証された使用者が任意に指定する動作条件を、前記条件情報として前記条件情報格納手段に格納する、
ことを特徴とする請求項６に記載の撮像装置。
【請求項９】
前記動作制御手段は、前記条件情報と、撮像時に適用される撮像パラメータと、に基づいて、前記ブレ補正機構を動作させる、
ことを特徴とする請求項１乃至８のいずれか１項に記載の撮像装置。
【請求項１０】
ブレ補正機構を有する撮像装置を制御するコンピュータに、
前記撮像装置の使用者毎に設定される、前記ブレ補正機構を動作させる条件を示す条件情報を記憶手段に格納する機能と、
少なくとも前記記憶手段に格納された条件情報に基づいて、前記ブレ補正機構を動作させる機能と、
を実現させることを特徴とするプログラム。
【発明の詳細な説明】
【技術分野】
【０００１】
本発明は、撮像装置、および、プログラムに関し、特に、ブレ補正機構を有する撮像装置の省電力化に好適な撮像装置、および、プログラムに関する。
【背景技術】
【０００２】
スチルカメラやビデオカメラなどの撮像装置においては、撮影時の手ブレを補正するしくみを搭載することが一般的になっている。ブレ補正の方法としては、ブレの量と方向に応じてレンズを動かすことで、手ブレによる光軸のズレを補正するレンズシフト方式がある。また、イメージセンサ（撮像素子）を用いるデジタル方式の撮像装置（デジタルカメラ）では、ブレの量と方向に応じてイメージセンサを動かすセンサシフト方式を採用することもできる。
【０００３】
このような機械的な動作によってブレを補正する方式（以下、「機械式ブレ補正方式」とする）では、例えば、ボイスコイルモータなどのアクチュエータによってレンズやイメージセンサを動かすため、ブレ補正動作をおこなうと多くの電力が消費され、バッテリ駆動時間が短くなってしまうことがある。
【０００４】
ここで、デジタルカメラであれば、イメージセンサ上の有効画素領域を制御することでブレを補正する電子式ブレ補正や、撮像された画像に対する画像処理によってブレを補正する方法などを採用することができる。これらの方法であれば機械的な動作を伴わないので電力消費量は軽減されるが、補正効果が低いなどの不都合がある。
【０００５】
このため、多くの撮像装置では、補正効果の高い機械式ブレ補正方式が採用されているが、上述したような消費電力の問題がある。この不都合を解消するため、機械式ブレ補正方式における消費電力の低減を図る手法が提案されている。例えば、特許文献１では、センサシフト方式と、センサシフト方式より電力消費の低いレンズシフト方式を併用し、予め設定された条件に基づいて、レンズシフト方式では十分な効果が得られない場合にのみセンサシフト方式を選択することで、ブレ補正動作時における消費電力の低減を図っている。
【０００６】
【特許文献１】特開２００８−１０７６４６号
【発明の開示】
【発明が解決しようとする課題】
【０００７】
ここで、スチルカメラにおける手ブレは、主に、シャッタボタンの押下によってカメラ本体が動いてしまうことで生じるが、このようなシャッタボタン操作にはユーザのクセなどが影響する場合がある。よって、異なるユーザが同じ条件で撮影した場合であっても、ユーザによって手ブレの影響が出る場合と出ない場合がある。この場合、手ブレによる影響が起こらなかったユーザが同条件で撮影する際には、ブレ補正動作をおこなわなくてもよいということになる。
【０００８】
しかしながら、特許文献１などの従来技術では、一律に動作条件が設定されていたため、動作させる必要がない場合にもブレ補正動作がおこなわれる場合がある。このような不要なブレ補正動作を抑制することができれば、電力消費効果をより向上させることができる。
【０００９】
本発明は、上記実状に鑑みてなされたものであり、ブレ補正動作にかかる電力消費をより効果的に低減することのできる撮像装置、および、プログラムを提供することを目的とする。
【課題を解決するための手段】
【００１０】
上記目的を達成するため、本発明の第１の観点にかかる撮像装置は、
ブレ補正機構を有する撮像装置において、
前記撮像装置の使用者毎に設定される、前記ブレ補正機構を動作させる条件を示す条件情報を格納する条件情報格納手段と、
少なくとも前記条件情報格納手段に格納された条件情報に基づいて、前記ブレ補正機構を動作させる動作制御手段と、
を備えることを特徴とする。
【００１１】
上記撮像装置において、
前記動作制御手段は、撮像時における前記撮像装置のズームレンズの倍率が、前記条件情報に記録されている倍率以上となる場合に、前記ブレ補正機構を動作させることが望ましい。
【００１２】
上記撮像装置は、
撮像時における前記撮像装置の移動量を検出するセンサ手段をさらに備えていることが望ましく、この場合、
前記動作制御手段は、前記センサ手段が検出した移動量が、前記条件情報に記録されている移動量以上となる場合に、前記ブレ補正機構を動作させることが望ましい。
【００１３】
上記撮像装置は、
撮像されたフレーム画像間の移動量を検出する画像処理手段をさらに備えていてもよく、この場合、
前記動作制御手段は、前記画像処理手段が検出した移動量が、前記条件情報に記録されている移動量以上となる場合に、前記ブレ補正機構を動作させることが望ましい。
【００１４】
上記撮像装置は、
前記撮像装置の使用者を認証する認証手段をさらに備えていることが望ましく、この場合、
前記動作制御手段は、前記認証手段が認証した使用者についての前記条件情報に基づいて、前記ブレ補正機構を動作させることが望ましい。
【００１５】
上記撮像装置は、
前記認証手段が認証した使用者についての条件情報が前記条件情報格納手段に格納されていない場合、当該使用者についての前記条件情報に記録される動作条件を設定する条件設定手段をさらに備えていることが望ましい。
【００１６】
この場合、
前記条件設定手段は、前記ブレ補正機構を動作させずに撮像した画像に基づいて、前記条件情報に動作条件を記録することが望ましい。
【００１７】
上記撮像装置において、
前記条件設定手段は、認証された使用者が任意に指定する動作条件を、前記条件情報として前記条件情報格納手段に格納することが望ましい。
【００１８】
上記撮像装置において、
前記動作制御手段は、前記条件情報と、撮像時に適用される撮像パラメータと、に基づいて、前記ブレ補正機構を動作させることが望ましい。
【００１９】
上記目的を達成するため、本発明の第２の観点にかかるプログラムは、
ブレ補正機構を有する撮像装置を制御するコンピュータに、
前記撮像装置の使用者毎に設定される、前記ブレ補正機構を動作させる条件を示す条件情報を記憶手段に格納する機能と、
少なくとも前記記憶手段に格納された条件情報に基づいて、前記ブレ補正機構を動作させる機能と、
を実現させることを特徴とする。
【発明の効果】
【００２０】
本発明によれば、ブレ補正動作にかかる電力消費をより効果的に低減することができる。
【発明を実施するための最良の形態】
【００２１】
本発明にかかる実施形態を、図面を参照して以下に説明する。本実施形態では、本発明をデジタルスチルカメラ（以下、デジタルカメラ）によって実現した場合を例示する。本実施形態にかかるデジタルカメラ１は、主に撮影時の手ブレを補正するためのブレ補正機構を有しているものとする。
【００２２】
図１は、本発明の実施形態にかかるデジタルカメラ１の構成を示すブロック図である。本実施形態にかかるデジタルカメラ１の概略的構成は、図示するように、撮像部１００、データ処理部２００、インタフェース（Ｉ／Ｆ）部３００、などである。
【００２３】
撮像部１００は、デジタルカメラ１の撮像動作をおこなう部分であり、例えば、光学装置１１０、イメージセンサ部１２０、ブレ補正機構１３０、などから構成される。
【００２４】
光学装置１１０は、例えば、レンズ、絞り機構、シャッタ機構、などから構成され、被写体光の集光や合焦、絞り調整、シャッタ動作などといった、撮像する際に必要な光学的要素にかかる動作をおこなう。なお、本実施形態にかかる光学装置１１０に構成されるレンズは、電動式のズームレンズであるものとする。
【００２５】
イメージセンサ部１２０は、例えば、ＣＣＤ（Charge Coupled Device：電荷結合素子）やＣＭＯＳ（Complementally Metal Oxide Semiconductor：相補型金属酸化物半導体）などのイメージセンサや、イメージセンサの駆動回路などから構成され、光学装置１１０によってイメージセンサ上に結像された被写体光に応じた光電変換をおこなうことで、被写体像を示す電気信号を生成する。
【００２６】
ブレ補正機構１３０は、光学装置１１０及び／又はイメージセンサ部１２０に対して作用する機械的動作を発生させることにより、撮影時にデジタルカメラ１で生じた動きに起因する被写体像のブレ（いわゆる手ブレ）を補正するための構成である。よって、ブレ補正機構１３０は、ブレの要因となるデジタルカメラ１の動きを検出するための動きセンサ（例えば、加速度や角速度を検出するジャイロセンサなど）や、動きセンサが検出したデジタルカメラ１の動きに応じて撮像部１００を構成している部材を動かすアクチュエータ（例えば、ボイスコイルモータなど）、などから構成される。
【００２７】
ここで、デジタルカメラ１が採用しているブレ補正方式が、いわゆるレンズシフト方式などのような光学的ブレ補正方式である場合、ブレ補正機構１３０のアクチュエータが、光学装置１１０のレンズ（レンズ群の一部）を動かすよう構成されることで、手ブレなどによる光軸のズレを補正する。
【００２８】
また、デジタルカメラが採用しているブレ補正方式が、いわゆるセンサシフト方式（ＣＣＤシフト方式やＣＭＯＳシフト方式など）である場合、ブレ補正機構１３０のアクチュエータが、イメージセンサ部１２０のイメージセンサを動かすよう構成されることで、手ブレなどによる結像のズレを補正する。
【００２９】
すなわち、本実施形態のデジタルカメラ１におけるブレ補正動作は、レンズやイメージセンサなどに対して作用する機械的動作によってなされているもの（機械式ブレ補正方式）であり、これらは既知のブレ補正技術によって実現されているものとする。
【００３０】
データ処理部２００は、撮像部１００による撮像動作によって生成された電気信号を処理し、撮像画像を示すデジタルデータを生成するとともに、撮像画像に対する画像処理などをおこなう。図１に示すように、データ処理部２００は、制御部２１０、画像処理部２２０、画像メモリ２３０、画像出力部２４０、内部メモリ２５０、外部メモリ２６０、などから構成される。
【００３１】
制御部２１０は、例えば、ＣＰＵ（Central Processing Unit：中央演算処理装置）などのプロセッサやＲＡＭ（Random Access Memory）などの主記憶装置などから構成され、後述する内部メモリ２５０などに格納されているプログラムを実行することで、デジタルカメラ１の各部を制御する。また、本実施形態では、所定のプログラムを実行することで、後述する各処理にかかる機能が制御部２１０によって実現される。
【００３２】
画像処理部２２０は、例えば、ＡＤＣ（Analog-Digital Converter：アナログ−デジタル変換器）、バッファメモリ、画像処理用のプロセッサ（いわゆる、画像処理エンジン）などから構成され、イメージセンサ部１２０によって生成された電気信号に基づいて、撮像画像を示すデジタルデータを生成する。
【００３３】
すなわち、イメージセンサ部１２０から出力されたアナログ電気信号をＡＤＣがデジタル信号に変換して順次バッファメモリに格納すると、画像処理エンジンがバッファされたデジタルデータに対し、いわゆる現像処理などをおこなうことで、画質の調整やデータ圧縮などをおこなう。
【００３４】
画像メモリ２３０は、例えば、ＲＡＭやフラッシュメモリなどの記憶装置から構成され、画像処理部２２０によって生成された撮像画像データや、制御部２１０によって処理される画像データなどを一時的に格納する。
【００３５】
画像出力部２４０は、例えば、ＲＧＢ信号の生成回路などから構成され、画像メモリ２３０に展開された画像データをＲＧＢ信号などに変換して表示画面（後述する表示部３１０など）に出力する。
【００３６】
内部メモリ２５０は、例えば、ＲＯＭ（Read Only Memory）やフラッシュメモリなどの記憶装置から構成され、デジタルカメラ１の動作に必要なプログラムやデータなどを格納する。本実施形態では、制御部２１０などが実行する動作プログラムが格納されている他、制御部２１０が実行する処理に必要なデータや処理結果のデータなどが内部メモリ２５０に格納される。
【００３７】
外部メモリ２６０は、例えば、メモリカードなどといった、デジタルカメラ１に着脱可能な記憶装置から構成され、デジタルカメラ１で撮像した画像データなどを格納する。
【００３８】
インタフェース（Ｉ／Ｆ）部３００は、デジタルカメラ１とその使用者あるいは外部装置とのインタフェースにかかる構成であり、図１に示すように、表示部３１０、外部インタフェース部３２０、操作部３３０、生体認証装置３４０、などから構成される。
【００３９】
表示部３１０は、例えば、液晶表示装置などから構成され、デジタルカメラ１を操作や設定をおこなうために必要な種々の画面や、撮影時のライブビュー画像（ファインダ画像）、再生画像、などを表示出力する。本実施形態では、画像出力部２４０からの画像信号（ＲＧＢ信号）などに基づいて撮像画像等の表示出力がおこなわれる。なお、表示部３１０は、ＥＶＦ（Electronic View Finder）などの形態を含む。
【００４０】
外部インタフェース部３２０は、ビデオ出力端子などのようなアナログ画像信号を出力するためのインタフェースの他、例えば、ＵＳＢ（Universal Serial Bus）やBluetooth（商標）などのような外部のコンピュータ装置とデータ送受をおこなうインタフェースや、ＬＡＮ（Local Area Network：構内通信網）などのネットワークに接続するための通信インタフェースなどから構成され、外部装置への画像データの出力などをおこなう。
【００４１】
操作部３３０は、デジタルカメラ１の筐体外面上に構成されている各種ボタンなどによって構成され、デジタルカメラ１の使用者による操作に応じた入力信号を生成して制御部２１０に入力する。操作部３３０を構成するボタンとして、例えば、デジタルカメラ１の電源オン・オフを指示するための電源ボタンや、撮像動作を指示するためのシャッタボタン（レリーズボタン）、デジタルカメラ１のもつ動作モードを指定するためのモードボタン、各種設定をおこなうための十字キーや機能ボタン、などが含まれているものとする。
【００４２】
生体認証装置３４０は、デジタルカメラ１の使用者を認証するために、使用者の生体的特徴を検出する装置（例えば、指紋読取装置など）である。本実施形態では、生体認証装置３４０として、指紋読取装置が用いられているものとする。この場合、生体認証装置３４０（指紋読取装置）は、デジタルカメラ１の筐体外面上において、使用者の手指を接触させることのできる位置に配置されているものとする。
【００４３】
本実施形態では、内部メモリ２５０に格納されている動作プログラムを制御部２１０が実行することで、後述する各処理が実現されるが、この場合に制御部２１０によって実現される機能を、図２を参照して説明する。
【００４４】
図２は、本発明にかかる動作をおこなう際に制御部２１０によって実現される機能を示した機能ブロック図である。図示するように、制御部２１０は、ユーザ認証部２１１、パラメータ設定部２１２、撮像制御部２１３、ブレ補正制御部２１４、などとして機能する。
【００４５】
ユーザ認証部２１１は、表示部３１０や生体認証装置３４０などを制御することで、デジタルカメラ１を操作するユーザの認証をおこなう。本実施形態では、生体認証装置３４０として指紋読取装置を用いているので、ユーザ認証部２１１は、生体認証装置３４０で読み取られる指紋画像に基づいた認証（指紋認証）をおこなう。この場合において、ユーザ認証部２１１は、生体認証装置３４０を制御するとともに、認証動作に必要となる画面を生成して表示部３１０に表示出力する。また、ユーザ認証部２１１によるユーザ認証によって認証されたユーザ毎に個別のデータ格納領域を内部メモリ２５０に作成し、必要な情報の記録や更新をおこなう。
【００４６】
パラメータ設定部２１２は、撮像部１００の各部を制御することで、撮像動作時の各種パラメータ（例えば、シャッタスピードや絞り値など）を設定するとともに、ブレ補正機構１３０を動作させる条件となるパラメータの設定や参照をおこなう。
【００４７】
撮像制御部２１３は、操作部３３０のシャッタボタン操作などに応じて光学装置１１０やイメージセンサ部１２０を制御することで撮像動作をおこなう。この場合、例えば、被写体の明るさなどを示す情報を光学装置１１０やイメージセンサ部１２０から取得し、これらの情報に基づいてパラメータ設定部２１２が指定する撮像パラメータで動作するよう光学装置１１０やイメージセンサ部１２０を制御する。
【００４８】
ブレ補正制御部２１４は、ブレ補正機構１３０を制御することで、手ブレなどに起因する被写体像のブレを補正する動作を実行する。上述したように、本実施形態にかかるデジタルカメラ１では、ブレ補正機構１３０の機械的動作によってブレ補正をおこなっている。このような方式の場合、アクチュエータの駆動が伴うため、ブレ補正動作をおこなうと多くの電力が消費されることになる。よって、本実施形態では、ブレ補正動作を実行させる条件を予め設定し、条件に該当する場合にのみブレ補正動作をおこなうことで、デジタルカメラ１の省電力化を図る。
【００４９】
この場合の「条件」を示す情報（条件情報）は、パラメータ設定部２１２によって設定され、ユーザ認証部２１１が認証したユーザ毎の個別情報として内部メモリ２５０内に格納される。よって、ブレ補正制御部２１４は、撮像制御部２１３による撮像動作実行時に、そのときデジタルカメラ１を使用しているユーザについて登録されている条件情報に基づいてブレ補正動作を実行するか否か判別し、実行すると判別した場合にブレ補正機構１３０を制御して動作させる。
【００５０】
以上が制御部２１０によって実現される機能である。なお、本実施形態では、制御部２１０がプログラムを実行することによる論理的処理で上述した各機能が実現されるものとするが、これらの機能を、例えば、ＡＳＩＣ（Application Specific Integrated Circuit：特定用途向け集積回路）などのハードウェアによって構成してもよい。
【００５１】
以上説明したデジタルカメラ１の構成は、本発明を実現するために必要な構成であり、デジタルカメラとしての基本機能や種々の付加機能に用いられる構成は必要に応じて備えられているものとする。
【００５２】
このような構成のデジタルカメラ１による動作を以下に説明する。ここでは、デジタルカメラ１のもつ機械式ブレ補正方式によるブレ補正動作にかかる電力消費を低減させるために実行される「省電力ブレ補正処理」を、図３に示すフローチャートを参照して説明する。
【００５３】
本実施形態にかかるデジタルカメラ１には、ユーザが選択可能な動作モードとして「省電力ブレ補正モード」が用意されているものとし、この「省電力ブレ補正モード」が選択された場合や、「省電力ブレ補正モード」が選択された状態でデジタルカメラ１に電源が投入されたことなどを契機に、「省電力ブレ補正処理」が開始されるものとする。
【００５４】
処理が開始されると、ユーザ認証部２１１によってユーザ認証動作がおこなわれる（ステップＳ１０１）。本実施形態では、生体認証装置３４０として指紋読取装置を用いているので、ユーザ認証部２１１は、生体認証装置３４０を駆動制御して使用可能状態にするとともに、指紋読取装置（生体認証装置３４０）への手指接触をユーザに促す画面を表示部３１０に表示する。
【００５５】
生体認証装置３４０は、デジタルカメラ１を現在使用するユーザの指紋画像を読み取ると、例えば、マニューシャ方式などのような指紋照合アルゴリズムなどを用いることで、指紋画像から特徴データを抽出する。
【００５６】
このようにして生体認証の特徴データを取得すると、ユーザ認証部２１１は、今回取得した特徴データが既に登録済であるか否かを判別することで、当該ユーザが登録ユーザであるか否かを判別する（ステップＳ１０２）。ここで、本実施形態にかかるデジタルカメラ１の内部メモリ２５０には、例えば、図５に示すような、ユーザ毎に各種の情報を記録する「ユーザ情報テーブル」が作成されるものとする。図示するように、「ユーザ情報テーブル」は、一意のユーザ番号をキーとしたレコードから構成され、各レコードには、生体認証装置３４０の動作によって取得した生体認証の特徴データが記録される。また、各レコードには、当該ユーザについて指定される、ブレ補正動作をおこなう条件を示す情報（「ブレ補正動作条件」）などが記録される。
【００５７】
よって、ユーザ認証部２１１は、ステップＳ１０１の動作で得られた特徴データと、内部メモリ２５０に格納されている「ユーザ情報テーブル」に登録されている特徴データとを照合することで、現在デジタルカメラ１を使用しているユーザが登録ユーザであるか否かを判別する。
【００５８】
ここで、取得した特徴データが未登録であり、未登録ユーザであると判別した場合（ステップＳ１０２：Ｙｅｓ）、ユーザ認証部２１１は、内部メモリ２５０のユーザ情報テーブルに新規レコードを作成し、ステップＳ１０１で取得した特徴データを記録することで、新たなユーザ情報として登録する（ステップＳ１０３）。
【００５９】
このようにして新規のユーザ登録をおこなうと、ユーザ認証部２１１は、その旨をパラメータ設定部２１２に通知する。パラメータ設定部２１２は、新規に登録されたユーザについて、ブレ補正動作をおこなう条件（以下、「動作条件」とする）を設定するための処理をおこなう。
【００６０】
パラメータ設定部２１２はまず、動作条件の設定をデジタルカメラ１がおこなう「自動設定モード」で設定するかをユーザに問い合わせる確認画面（「自動設定モード確認画面」）を表示部３１０に表示する（ステップＳ１０４）。この自動設定モード確認画面には、上記問い合わせのメッセージの他、問い合わせに対する選択肢などが表示され、ユーザが操作部３３０を操作して選択肢を選択することで、自動設定モードで設定するか否かを指定する。
【００６１】
ユーザの操作により自動設定モードが選択されると（ステップＳ１０５：Ｙｅｓ）、パラメータ設定部２１２は、自動設定モードで動作条件を設定するための「動作条件設定処理」を実行する（ステップＳ２００）。この「動作条件設定処理」を、図４に示すフローチャートを参照して説明する。
【００６２】
本処理では、ブレ補正機構１３０を動作させずに複数の条件下で撮像動作をおこない（テスト撮像）、手ブレの影響が現れている撮像画像についての各種パラメータやセンサ検出結果などを分析することで、当該ユーザについての動作条件を設定する。
【００６３】
よって、処理が開始されると、パラメータ設定部２１２は、テスト撮像で用いる動作パラメータ（テストパラメータ）を設定する（ステップＳ２０１）。この場合、パラメータ設定部２１２は最初に、撮像制御部２１３を介して撮像部１００を制御することで、現在の撮影環境で測光動作などをおこなって、適正露出となるパラメータ（シャッタスピードや絞り値など）を設定する。そして、設定した適正露出パラメータに基づき、この撮影環境において手ブレが発生しやすい状況となるパラメータをテストパラメータとして設定する。
【００６４】
ここで、本実施形態にかかるデジタルカメラ１では、電動式のズームレンズを用いているので、制御部２１０が撮像部１００を制御することで、ズーム倍率を変化させることができる。一般的に、シャッタスピードが「１／焦点距離（秒）」（ここでの焦点距離は、イメージセンサのサイズをフルサイズ（いわゆる３５ｍｍ判）として換算した値）以上になると手ブレの影響を受けるとされている。つまり、同じシャッタスピードであれば、ズーム倍率が高く（焦点距離が長く）なるほど手ブレの影響を受けやすくなる。
【００６５】
よって、パラメータ設定部２１２はまず、ズームレンズのワイド端で適正露出を求め、その露出値を基準にテストパラメータを設定する。例えば、焦点距離が２８ｍｍ（換算値）のワイド端で適正露出となるシャッタスピードが１／６０秒であった場合、同じシャッタスピードと絞り値であれば、焦点距離が６０ｍｍ（換算値）以上となるズーム倍率にすると手ブレの影響を受けやすくなる。
【００６６】
なお、多くのズームレンズでは望遠側のＦ値が高くなるため、望遠側で適正露出となるシャッタスピードはその分遅くなる。よって、テストパラメータとして設定するズーム倍率（焦点距離）は、レンズのＦ値を考慮して設定することが望ましい。この計算は、自動露出アルゴリズムの応用によって実現することができる。
【００６７】
また、ズームレンズを望遠端にしても手ブレの影響を受けないと判断される場合は、適正露出のシャッタスピードよりも遅いシャッタスピードをテストパラメータに設定することで、手ブレが発生しやすい状況とする。
【００６８】
ここで、手ブレの影響を受けるか否かの閾値となるシャッタスピード「１／焦点距離（秒）」は、あくまでも目安であり絶対的なものではない。よって、この閾値付近となるシャッタスピードやズーム倍率の組み合わせを複数用意してテストパラメータとし、各テストパラメータを使った複数回の撮像動作をおこなうことで、ユーザの撮影操作とブレの発生との関係を分析することができる。この場合、パラメータ設定部２１２は、複数用意したテストパラメータを、より手ブレが発生しにくい状況から、より手ブレが発生しやすい状況となる順に指定する。なお、最初に指定するテストパラメータは、手ブレの影響を受けないパラメータであるものとする。
【００６９】
パラメータ設定部２１２は、最初に指定するテストパラメータを、撮像動作時のパラメータとして設定すると、ユーザに撮像動作、すなわちシャッタボタンの押下を促す操作指示を示す画面（「操作指示画面」）を表示部３１０に表示する（ステップＳ２０２）。
【００７０】
この時点で撮像可能状態となっているので、表示部３１０には、ファインダ画像としてのライブビュー画像（動画像）が表示される。ここで、パラメータ設定部２１２は、動画像であるファインダ画像を構成しているフレーム間での画像移動量を計測する（ステップＳ２０３）。この場合、イメージセンサ部１２０のイメージセンサから随時画像メモリ２３０に展開されているフレーム画像において特徴点を定め、フレーム間での特徴点の移動量をベクトルとして計測する。
【００７１】
つまり、ユーザによるデジタルカメラ１のホールドが弱ければ、ファインダ画像が揺れやすくなり、その状態でシャッタ操作をすれば手ブレとなる可能性が高くなる。よって、ファインダ画像の移動量を計測することで、ユーザ毎のホールド特性を分析することができる。
【００７２】
ここで、ユーザがシャッタボタンを押下したことによる入力信号が操作部３３０から入力されると（ステップＳ２０４：Ｙｅｓ）、撮像制御部２１３は、パラメータ設定部２１２が現在指定しているテストパラメータで動作するよう、光学装置１１０やイメージセンサ部１２０を制御する。これにより、テスト撮像の撮像動作がおこなわれる。同時に、ブレ補正制御部２１４は、ブレ補正機構１３０の動きセンサを動作させ、シャッタボタン押下時に発生した動きを示す検出値を取得する（ステップＳ２０５）。
【００７３】
このような撮像動作で得られた画像は画像メモリ２３０に展開されるので、パラメータ設定部２１２は、撮像画像を分析することで（ステップＳ２０６）、像ブレが発生しているか否かを判別する（ステップＳ２０７）。
【００７４】
上述したように、パラメータ設定部２１２が最初に指定するテストパラメータは、手ブレが生じないパラメータとしているので、最初のテスト撮像では、手ブレによる像ブレのない画像が得られることになる（ステップＳ２０７：Ｎｏ）。この場合、パラメータ設定部２１２は次のテストパラメータを指定して、撮像パラメータとして設定する（ステップＳ２０１）。
【００７５】
ここでは、手ブレの発生しにくい状況から手ブレが発生しやすい状況になる順でテストパラメータを指定するので、手ブレが発生しないパラメータであった１回目より、手ブレが発生する可能性のあるパラメータが指定される。
【００７６】
このようにして次のテストパラメータが設定されると、上述したステップＳ２０２〜ステップＳ２０５と同じ動作がおこなわれ、次の撮像画像が得られることになる。２回目以降のテスト撮像では、パラメータ設定部２１２は、ブレの発生していない１回目の撮像画像と比較することで（ステップＳ２０６）、像ブレが発生しているか否かを判別する（ステップＳ２０７）。
【００７７】
ここで、このテスト撮像でもブレが発生していなければ（ステップＳ２０７：Ｎｏ）、ステップＳ２０１に戻り、次のテストパラメータを設定してステップＳ２０１〜ステップＳ２０６の動作をおこなう。
【００７８】
このような過程で、撮像画像のブレが検出された場合（ステップＳ２０７：Ｙｅｓ）、パラメータ設定部２１２は、そのテスト撮像の際に適用されたテストパラメータのズーム倍率、検出されたファインダ画像の移動量（ベクトル）、検出されたデジタルカメラ１の動き（角速度）を、当該ユーザについての動作条件とし（ステップＳ２０８）、「省電力ブレ補正処理」（図３）のフローに戻る。
【００７９】
「省電力ブレ補正処理」に戻ると、パラメータ設定部２１２は、内部メモリ２５０のユーザ情報テーブルにアクセスし、ステップＳ１０３で新規登録したユーザ情報のレコードに、「動作条件設定処理」のステップＳ２０８で設定された動作条件を記録する（ステップＳ１０７）。
【００８０】
一方、ユーザが自動設定モードを指定しなかった場合（ステップＳ１０５：Ｎｏ）、パラメータ設定部２１２は、「動作条件設定処理」を実行せず、動作条件をユーザに任意で設定させるための設定画面（「手動設定画面」）を表示部３１０に表示する（ステップＳ１０６）。
【００８１】
この手動設定画面では、動作条件のパラメータとして、ズーム倍率やファインダ画像の移動量、撮像時のデジタルカメラ１の動き量などについて、例えば、数値の選択肢が表示される。ユーザは操作部３３０を操作し、各項目について所望する数値を選択する。パラメータ設定部２１２は、操作部３３０からの入力信号に基づいて、動作条件の各パラメータに指定された数値を認識し、入力された動作条件のパラメータを、ステップＳ１０３で新規登録したユーザ情報のレコードに記録する（ステップＳ１０７）。
【００８２】
このようにして認証したユーザについての動作条件が登録される。新規ユーザについての動作条件を登録した場合、パラメータ設定部２１２は、テスト撮像が終了し、通常の撮像モードに戻る旨を示す画面表示などを表示部３１０におこなうなどして、撮像モードで動作する。
【００８３】
また、既に登録済のユーザを認証した場合（ステップＳ１０２：Ｎｏ）は、ステップＳ１０３〜ステップＳ１０７の動作をおこなわずに、撮像モードで動作する。
【００８４】
撮像モード下では、ユーザによる任意の撮影となるので、ユーザがシャッタボタンを押下したことで撮像指示が入力されることになる。ここで、撮像指示が入力された場合（ステップＳ１０８：Ｙｅｓ）、パラメータ設定部２１２と撮像制御部２１３の双方が撮像指示を認識する。この場合、パラメータ設定部２１２は、その時点での測光結果などに基づいて適正露出となる撮像パラメータ（シャッタスピードや絞り値など）を設定して撮像制御部２１３に通知するとともに、内部メモリ２５０のユーザ情報テーブルを参照し、現在使用しているユーザについて登録されている動作条件に該当するか否かを判別する（ステップＳ１０９）。
【００８５】
ここで、「動作条件設定処理」（図４）でおこなったテスト撮像と同様、撮像モード下においても、ファインダ画像の移動量が計測されるとともに、シャッタボタン押下時のデジタルカメラ１の動き量が検出されているものとする。よって、パラメータ設定部２１２は、これらの検出値や撮像時のズーム倍率が、当該ユーザについて登録されている動作条件に該当するか判別するが、このときの適正露出として設定したシャッタスピードでは手ブレの影響を受けない数値であれば、動作条件に該当しないと判別する。
【００８６】
パラメータ設定部２１２は、これらの判断により、ブレ補正機構１３０の駆動によるブレ補正動作をおこなう条件（動作条件）に該当するか判別し、該当する場合（ステップＳ１０９：Ｙｅｓ）は、撮像パラメータを撮像制御部２１３に通知して撮像動作を指示するとともに、ブレ補正制御部２１４にブレ補正機構１３０を制御してブレ補正動作をおこなうよう指示する。これにより、撮像制御部２１３が光学装置１１０やイメージセンサ部１２０を制御して撮像動作がおこなわれるとともに、ブレ補正制御部２１４がブレ補正機構１３０を制御することでブレ補正動作がおこなわれる（ステップＳ１１０）。
【００８７】
一方、動作条件に該当しないと判別した場合（ステップＳ１０９：Ｎｏ）、パラメータ設定部２１２は、撮像制御部２１３に対して撮像動作を指示するが、ブレ補正制御部２１４に対してブレ補正動作の実行を指示しない。これにより、ブレ補正機構１３０によるブレ補正動作はおこなわれずに、撮像動作のみが実行される（ステップＳ１１１）。
【００８８】
そして、所定の終了イベント（例えば、「省電力ブレ補正モード」の解除やデジタルカメラ１の電源オフ、など）が発生するまで、ステップＳ１０８〜ステップＳ１１１の処理が繰り返しおこなわれ（ステップＳ１１２：Ｎｏ）、終了イベントの発生により（ステップＳ１１２：Ｙｅｓ）、本処理を終了する。
【００８９】
以上説明したように、本発明を上記実施形態の如く適用することにより、ユーザ毎に設定される動作条件に基づいてブレ補正動作をおこなうので、不要なブレ補正動作が抑制され電力消費を低減することができる。
【００９０】
この場合において、ズームレンズの倍率を動作条件として登録するので、手ブレの影響が受けやすくなるズームレンズの望遠側において、ユーザの特性に応じた適切な制御をおこなうことができる。
【００９１】
また、撮像時に検出する撮像装置の動き（移動量）を動作条件として登録するので、シャッタボタン操作にかかるユーザのクセに応じた適切な制御をおこなうことができる。
【００９２】
さらに、ファインダ画像として得られる動画像上の動きを動作条件として登録するので、撮像装置のホールドにかかるユーザ特性に応じた適切な制御をおこなうことができる。
【００９３】
ここで、指紋読取装置などの認証装置によってユーザを認証し、認証したユーザについて登録されている動作条件を用いて制御するので、複数の者で撮像装置を使用する場合であっても、適切な制御をおこなうことができる。
【００９４】
また、認証したユーザについての動作条件が登録されていない場合、ブレ補正機構を動作させずにおこなうテスト撮像に基づいて動作条件を設定するので、ユーザの特定に応じた適切なブレ補正動作の制御を容易におこなうことができる。
【００９５】
この場合において、動作条件をユーザが任意に登録することができるので、ユーザの好みに応じた動作条件を設定できる他、自動設定された動作条件を容易に修正することができ、ブレ補正動作のより適切な制御をおこなうことができる。
【００９６】
なお、ユーザ毎に登録された動作条件に該当する場合であっても、例えば、その撮像時に設定されるシャッタスピードなどのパラメータが、手ブレの影響を受けないものであれば、ブレ補正機構を動作させないよう制御することができるので、より効果的に消費電力の低減を図ることができる。
【００９７】
上記実施形態は一例であり、本発明の適用範囲はこれに限られない。すなわち、種々の応用が可能であり、あらゆる実施の形態が本発明の範囲に含まれる。
【００９８】
上記実施形態では、本発明にかかる撮像装置をデジタルスチルカメラで実現した場合を例示したが、これに限られず、例えば、フィルムカメラやビデオカメラなどに本発明を適用してもよい。
【００９９】
また、上記実施形態では、ユーザを認証する生体認証装置として指紋読取装置を例示したが、ユーザを認証できるものであればこれに限られず任意の方法であってもよい。例えば、撮像装置の撮像機能によってユーザの顔を撮像することで、顔認識による認証をおこなってもよい。あるいは、音声入力可能な撮像装置であれば、ユーザの音声を入力し、声紋認証などによって認証するようにしてもよい。
【０１００】
また、上記実施形態では、動作条件として登録される事項として、ズーム倍率、撮像装置の移動量、動画像の移動量を例示したが、ブレ発生に起因する事項であれば、これらに限られず任意の事項を条件としてもよい。
【０１０１】
上記実施形態で示したデジタルカメラ１のように、ブレ補正機構の動作を制御する機能を予め備えた撮像装置として実現できることはもとより、プログラムの適用により、既存の撮像装置を本発明にかかる撮像装置として機能させることができる。すなわち、機械式ブレ補正方式によるブレ補正機構を備えている撮像装置であれば、上記実施形態の制御部２１０が実行したプログラムと同様のプログラムを既存の撮像装置に適用し、当該撮像装置の動作を制御しているコンピュータ装置（例えば、ＣＰＵなど）に実行させることで、本発明にかかる撮像装置として機能させることができる。
【０１０２】
このようなプログラムの適用方法は任意であり、例えば、メモリカード（外部メモリ２６０）などの記憶媒体に格納して適用できる他、インターネットなどの通信媒体を介して適用することもできる。
【図面の簡単な説明】
【０１０３】
【図１】本発明の実施形態にかかるデジタルカメラの構成を示すブロック図である。
【図２】図１に示す制御部によって実現される機能を示す機能ブロック図である。
【図３】本発明の実施形態にかかる「省電力ブレ補正処理」を説明するためのフローチャートである。
【図４】図３に示す「省電力ブレ補正処理」で実行される「動作条件設定処理」を説明するためのフローチャートである。
【図５】図１に示す内部メモリに格納されている「ユーザ情報テーブル」の例を示す図である。
【符号の説明】
【０１０４】
１…デジタルカメラ、１００…撮像部、１１０…光学装置、１２０…イメージセンサ部、１３０…ブレ補正機構、２００…データ処理部、２１０…制御部、２１１…ユーザ認証部、２１２…パラメータ設定部、２１３…撮像制御部、２１４…ブレ補正制御部、２２０…画像処理部、２３０…画像メモリ、２４０…画像出力部、２５０…内部メモリ、２６０…外部メモリ、３００…インタフェース部、３１０…表示部、３２０…外部インタフェース部、３３０…操作部、３４０…生体認証装置
【図１】
2010117602.tif 000003
【図２】
2010117602.tif 000004
【図３】
2010117602.tif 000005
【図４】
2010117602.tif 000006
【図５】
2010117602.tif 000007